(57)【要約】  【課題】  簡易な構造で、タオルのような布帛をタオル掛けのような懸吊部材に懸吊し、布帛の脱離を抑制することができる布帛クリップを提供する。  【解決手段】  布帛クリップ１は、可撓湾曲部１０と、挟持片１１，１１からなる挟持部１１１とを、合成樹脂を用いて側面視Ｕ字状に一体成型してなる。挟持片１１，１１は布帛クリップ１のＵ字の２本の腕部に相当し、可撓湾曲部１０はＵ字の連結部に相当する。タオル２１は二つ折りにしてタオル掛け３に掛止され、布帛クリップ１は、可撓湾曲部１０によって挟圧方向に付勢される挟持片１１，１１で、タオル掛け３から垂下するタオル２１を挟持する。【選択図】      図１
2006122226.tif 000002
【特許請求の範囲】
【請求項１】
布帛を挟持する布帛クリップにおいて、
可撓湾曲部と、前記布帛を対向２片で挟持する挟持部とを有し、
該挟持部の一片及び他片の端部夫々が、前記可撓湾曲部の両端部夫々に連設してあり、
前記可撓湾曲部は前記挟持部の２片を挟圧方向に付勢してあることを特徴とする布帛クリップ。
【請求項２】
前記一片と前記他片との対向部分の少なくとも片方に凸部が形成してあることを特徴とする請求項１に記載の布帛クリップ。
【請求項３】
前記挟持部及び前記可撓湾曲部は合成樹脂を用いて一体に形成してあることを特徴とする請求項１又は２に記載の布帛クリップ。
【発明の詳細な説明】
【技術分野】
【０００１】
本発明は、タオルのような布帛を挟持する布帛クリップに関する。
【背景技術】
【０００２】
例えばタオル掛けにタオルを懸吊する場合、タオルの使用者は、タオルを二つ折りにし、折り曲げ部をタオル掛けに掛止する（特許文献１参照）。
【０００３】
また、タオルがタオル掛けからずり落ちることを防止するために、タオル掛けから垂下するタオルを洗濯バサミで挟持することがある。
【特許文献１】特開平８−３８３８７号公報
【発明の開示】
【発明が解決しようとする課題】
【０００４】
しかしながら、洗濯バサミは、金属製の弾性部材の弾性を利用して、枢着された２個の挟持用部材の間に布帛を挟持するように構成してあるため、構造が複雑である。また、金属製の弾性部材は錆びることがある。
【０００５】
本発明は斯かる事情に鑑みてなされたものであり、可撓湾曲部に連設してある挟持部の一片及び他片で布帛を挟持する構成とすることにより、簡易な構造で布帛をタオル掛けのような懸吊部材に懸吊することができる布帛クリップを提供することを目的とする。
【０００６】
本発明の他の目的は、挟持部の一片及び他片の片方又は両方に凸部が形成してあることにより、布帛の脱離を抑制することができる布帛クリップを提供することにある。
【０００７】
本発明の更に他の目的は、挟持部と可撓湾曲部とが合成樹脂を用いて一体に形成してあることにより、製造が容易であり、しかも金属の錆びを防止することができる布帛クリップを提供することにある。
【課題を解決するための手段】
【０００８】
第１発明に係る布帛クリップは、布帛を挟持する布帛クリップにおいて、可撓湾曲部と、前記布帛を対向２片で挟持する挟持部とを有し、該挟持部の一片及び他片の端部夫々が、前記可撓湾曲部の両端部夫々に連設してあり、前記可撓湾曲部は前記挟持部の２片を挟圧方向に付勢してあることを特徴とする。
【０００９】
第２発明に係る布帛クリップは、前記一片と前記他片との対向部分の少なくとも片方に凸部が形成してあることを特徴とする。
【００１０】
第３発明に係る布帛クリップは、前記挟持部及び前記可撓湾曲部は合成樹脂を用いて一体に形成してあることを特徴とする。
【００１１】
第１発明にあっては、織布、不織布等を用いてなる布帛（例えばタオル）を挟持するために布帛クリップを用いる。例えば布帛は、略水平に配置された棒状、環状、板状等の懸吊部材（例えばタオル掛け）に、二つ折りにして掛止された状態で布帛クリップに挟持されることによって、懸吊部材に直接的に懸吊される。又は、布帛は、懸吊部材に掛止された布帛クリップに挟持されることによって、懸吊部材に間接的に懸吊される。
【００１２】
布帛クリップは挟持部で布帛を挟持する。挟持部は、布帛を挟持する対向２片の一片及び他片の端部夫々が、可撓湾曲部の両端部夫々に連設してある。可撓湾曲部が、挟持部の対向２片を挟圧方向に付勢するようにしてあるため、挟持部の一片及び他片の間に挟持された布帛は、挟持部によって確実に固定される。
【００１３】
第２発明にあっては、挟持部の対向２片の対向部分の片方及び／又は両方に凸部が形成してあるため、挟持部の対向２片の対向部分に凸部が形成されていない布帛クリップよりも、布帛に対する摩擦力が増加し、この摩擦力が、挟持した布帛の脱離を抑制する。凸部が尖鋭状である場合、挟持している布帛に凸部が食い込み、布帛の脱離を更に抑制する。また、挟持部の対向する一片及び他片の離隔距離を凸部が減少させる場合、厚さが薄い布帛も、挟持部によって確実に挟持される。
【００１４】
第３発明にあっては、挟持部及び可撓湾曲部が合成樹脂を用いて一体に形成（例えば一体成型）してあるため、布帛クリップは金属部分を備えない。
【発明の効果】
【００１５】
第１発明の布帛クリップによれば、可撓湾曲部と、可撓湾曲部に連設された挟持部とを有する簡易な構成で、例えば洗濯バサミの代わりに布帛を挟持することができる。
【００１６】
布帛クリップの使用者は、例えば布帛を二つ折りにし、折り曲げ部を懸吊部材に掛止する。次に、使用者は、懸吊部材から垂下する布帛の一方と他方とを、一方及び他方夫々の外面側から布帛クリップの挟持部で挟持する。この場合、布帛クリップの挟持によって、布帛に、懸吊部材を囲繞する環状部分が形成される。このため、懸吊部材からの布帛の脱離を抑制することができる。
【００１７】
また、使用者は、布帛を二つ折りにし、折り曲げ部を懸吊部材に掛止し、布帛の折り曲げ部に覆われた懸吊部材を挟持部で挟持する。この場合、布帛クリップの挟持によって、布帛が懸吊部材に固定される。このため、懸吊部材からの布帛の脱離を抑制することができる。
【００１８】
更にまた、使用者は、可撓湾曲部の内側に懸吊部材を通すことによって、可撓湾曲部を懸吊部材に掛止し、懸吊部材から垂下する挟持部で布帛を挟持する。この場合、布帛を挟持した布帛クリップが懸吊部材に掛止される。このため、布帛を懸吊する際に、布帛を直接的に懸吊部材に掛止する必要がない。この結果、使用者の利便性が向上され、また、例えば懸吊部材の汚損によって布帛が汚損されることを抑制することができる。
【００１９】
つまり、本発明の布帛クリップは、布帛を種々の様態で挟持して、懸吊部材に直接的／間接的に懸吊させることができ、布帛が懸吊部材から脱離することを抑制することができる。
【００２０】
第２発明の布帛クリップによれば、凸部の摩擦力、形状等によって、挟持した布帛の脱離を更に抑制することができる。また、凸部が挟持部の一片及び他片の離隔距離を減少させる場合、布帛クリップは、布帛の厚さによらず布帛を挟持することができる。
【００２１】
第３発明の布帛クリップによれば、合成樹脂を用いてなり、金属部分を備えないため、金属部分が錆びることを防止することができる。また、挟持部及び可撓湾曲部を有する簡易な構造を一体に形成するため、製造が容易である等、本発明は優れた効果を奏する。
【発明を実施するための最良の形態】
【００２２】
以下、本発明を、その実施の形態を示す図面に基づいて詳述する。
【００２３】
図１は、本発明に係る布帛クリップ１を用いてタオル掛け３にタオル２１を直接的に懸吊した状態を示す斜視図であり、タオル掛け３に掛止されたタオル２１を布帛クリップ１で挟持する方法を示す説明図でもある。また、図２は、布帛クリップ１の構成を示し、図２（ａ）は平面図であり、図２（ｂ）は側面図である。
【００２４】
布帛クリップ１は、厚さ約３ｍｍの略長方形の合成樹脂板を、長辺方向に２等分の位置で湾曲させたような外形であり、平面視が、高さ約７５ｍｍ、幅約６０ｍｍの略四角形であり、側面視が下膨れのＵ字状である。このため、布帛クリップ１は、Ｕ字の上部と、Ｕ字の前部及び奥部（平面視の左右側部）とが開口している。図１及び図２では、布帛クリップ１のＵ字の上部側が下側、Ｕ字の下部側が上側に示されている。以下では、Ｕ字の上部側を先端側、Ｕ字の下部側を連設側という。
【００２５】
布帛クリップ１は可撓湾曲部１０と挟持部１１１とを有し、これらを合成樹脂を用いて一体成型してなる。可撓湾曲部１０と同様に、挟持部１１１も可撓性を有する。このような挟持部１１１の対向２片である挟持片１１，１１は、Ｕ字状の布帛クリップ１の腕部に相当し、可撓湾曲部１０は、Ｕ字状の布帛クリップ１の連結部に相当する。
【００２６】
挟持部１１１の挟持片１１，１１はタオル２１を挟持する。挟持部１１１の各挟持片１１は矩形板状であり、矩形板状の挟持片１１の一端が、可撓湾曲部１０の湾曲方向の一端部に連設してある。また、挟持片１１，１１の対向部分は内面１１ａ，１１ａである。布帛クリップ１は、挟持片１１，１１の間、より詳細には内面１１ａ，１１ａの間にタオル２１を挟持する。
【００２７】
また、可撓湾曲部１０は、側面視が内径約１９ｍｍの円弧状である。挟持片１１，１１の離隔距離は、連設側から先端側まで徐々に減少しており、最大離隔距離は約１２ｍｍ、最小離隔距離は約３ｍｍである。つまり、布帛クリップ１は、挟持片１１，１１同士が、連設側から先端側へ徐々に接近するように形成してある。
【００２８】
各挟持片１１の内面１１ａには、２個の凸部１２，１２が、先端側−連設側方向に並置して形成してある。また、一方の挟持片１１の凸部１２，１２と他方の挟持片１１の凸部１２，１２とは略対応する位置に対向配置されている。このような凸部１２，１２，…は布帛クリップ１の成型の際に挟持片１１，１１に一体形成される。
【００２９】
各凸部１２は、約２ｍｍの最大突出高さを有する尖鋭状の立爪であり、挟持片１１，１１の４個の凸部１２，１２，…の内、先端側の凸部１２，１２は、離隔距離が略０ｍｍである。また、可撓湾曲部１０は挟持片１１，１１を挟圧方向に付勢しており、このため挟持片１１，１１同士は互いに接近する方向に付勢され、先端側の凸部１２，１２同士が互いに押し合うように当接している。以上の結果、タオル２１の厚みが薄い場合でも、少なくとも先端側の凸部１２，１２がタオル２１に食い込んで、タオル２１の摺動を阻害し、挟持片１１，１１に挟持されたタオル２１を固定する。
【００３０】
凸部１２は、凸部１２における先端側及び連設側夫々がテーパ状に形成してある。凸部１２のテーパは、挟持片１１，１１間にタオル２１が挿入される場合、又は挟持片１１，１１間からタオル２１が離脱される場合に、タオル２１に摺動する。
【００３１】
タオル掛け３は、屋内壁面から適長離隔して水平方向に配置された棒状の懸吊部３０と、懸吊部３０の両端部を支持して屋内壁面に固定する支持部３１，３１とで構成されている。懸吊部３０の外径は、可撓湾曲部１０の内径以下であることが好ましい。また、タオル２１は、略長方形の織布である。
【００３２】
以上のような布帛クリップ１を使用する場合、使用者は、まず、タオル２１を長辺方向に二つ折りにして、二つ折りにしたタオル２１の折り曲げ部をタオル掛け３の懸吊部３０に掛止する。次に、使用者は、布帛クリップ１を、可撓湾曲部１０を上側、挟持片１１，１１を下側にして、懸吊部３０に掛止されたタオル２１の折り曲げ部の上方に配置する。この場合、布帛クリップ１の湾曲方向は、タオル２１の折り曲げ方向と略等しい。このように配置された状態の布帛クリップ１が、図１に二点鎖線で示してある。
【００３３】
更に、使用者は、懸吊部３０に掛止されたタオル２１の折り曲げ部に、布帛クリップ１の先端側開口を当てて、布帛クリップ１を、可撓湾曲部１０の内面が懸吊部３０に掛止されたタオル２１の折り曲げ部に当接するまで、下（図１中矢符方向）へ押し込む。このように押し込まれた状態の布帛クリップ１が、図１に実線で示してある。
【００３４】
布帛クリップ１が押し込まれた場合、可撓湾曲部１０及び挟持片１１，１１が自動的に湾曲の外側に撓み、挟持片１１，１１が離隔して、挟持片１１，１１の間に、タオル２１及びタオル２１が掛止されている懸吊部３０が挿入される。タオル２１の挿入の際、タオル２１は、挟持片１１，１１の内面１１ａ，１１ａに設けられている凸部１２，１２，…のテーパに摺動する。即ち、凸部１２，１２，…は、タオル２１の移動を阻害しない。
【００３５】
押し込みによる布帛クリップ１の移動が終了した場合、可撓湾曲部１０が弾性的に湾曲の内側に付勢され、このような可撓湾曲部１０によって、また、挟持片１１，１１自身の弾性によって、挟持片１１，１１が挟圧方向へ付勢される。このため、挟持片１１，１１の離隔距離、ひいては対向する凸部１２，１２の離隔距離が最小となり、懸吊部３０から垂下するタオル２１の一方及び他方を挟持片１１，１１が挟持し、更に、凸部１２，１２，…が懸吊部３０から垂下するタオル２１に食い込む。即ち、凸部１２，１２，…は、タオル２１の移動を阻害する。
【００３６】
以上の場合、タオル２１は、タオル掛け３の懸吊部３０から直接的に懸吊される。また、布帛クリップ１の挟持によって、タオル２１に、懸吊部３０を囲繞する環状部分が形成され、また、タオル２１は可撓湾曲部１０と懸吊部３０との間で挟持されて、懸吊部３０に固定される。この結果、タオル２１の懸吊部３０からの脱離が抑制される。
【００３７】
なお、使用者は、布帛クリップ１を、必ずしも可撓湾曲部１０の内面が懸吊部３０に掛止されたタオル２１の折り曲げ部に当接するまで押し込む必要はない。特に、懸吊部３０の外径が可撓湾曲部１０の内径を超過している場合、挟持片１１，１１の間に懸吊部３０に掛止されたタオル２１の折り曲げ部を挿入して挟持し、可撓湾曲部１０を懸吊部３０から離隔させた状態にしておいても良い。この場合、タオル２１は挟持片１１，１１と懸吊部３０との間で挟持されて、懸吊部３０に固定される。
【００３８】
また、布帛クリップ１の内部にタオル２１の折り曲げ部を挿入せず、懸吊部３０から垂下するタオル２１の一方と他方とに対し、懸吊部３０の長手方向に、又は下側から、布帛クリップ１を押し込んで挟持しても良い。
【００３９】
ところで、タオル２１を取り替える場合のように、タオル２１を挟持している布帛クリップ１を取り外す場合、使用者は、可撓湾曲部１０及び挟持片１１，１１を湾曲の外側へ撓ませて挟持片１１，１１を離隔させ、布帛クリップ１を引き抜く。この場合、タオル２１は、挟持片１１，１１の内面１１ａ，１１ａに設けられている凸部１２，１２，…のテーパに摺動する。即ち、凸部１２，１２，…は、タオル２１の移動を阻害しない。また、引き抜きによって可撓湾曲部１０及び挟持片１１，１１は自動的に湾曲の外側に撓むが、引き抜きの完了後に、元の形状に戻る。
【００４０】
図３は、布帛クリップ１を用いてタオル掛け３にタオル２２を間接的に懸吊した状態を示す斜視図である。図３の例では、使用者は、タオル掛け３の懸吊部３０にはタオル２２を掛止しない。使用者は、まず、懸吊部３０に対して布帛クリップ１を、可撓湾曲部１０の内面が懸吊部３０に当接するまで下へ押し込む。この場合、布帛クリップ１が懸吊部３０に掛止される。次に、使用者は、長方形のタオル２２を四つ折りにし、更に、可撓湾曲部１０及び挟持片１１，１１を湾曲の外側に撓ませて挟持片１１，１１を離隔させ、最後に、離隔した挟持片１１，１１間に，四つ折りにしたタオル２２を挿入する。タオル２２の挿入の際、タオル２２は、挟持片１１，１１の内面１１ａ，１１ａに設けられている凸部１２，１２，…のテーパに摺動する。
【００４１】
タオル２２の挿入完了後、使用者は布帛クリップ１から手を離す。この場合、可撓湾曲部１０が弾性的に湾曲の内側に付勢され、このような可撓湾曲部１０によって、また、挟持片１１，１１自身の弾性によって、挟持片１１，１１が挟圧方向へ付勢される。このため、挟持片１１，１１の離隔距離、ひいては対向する凸部１２，１２の離隔距離が最小となり、タオル２２を挟持片１１，１１が挟持し、更に、凸部１２，１２，…がタオル２２に食い込む。
【００４２】
以上の場合、タオル２２は、タオル掛け３の懸吊部３０から、布帛クリップ１を介して間接的に懸吊される。挟持片１１，１１による挟持、及び凸部１２，１２，…による食い込みによって、タオル２２は、懸吊部３０に掛止された布帛クリップ１に固定され、この結果、タオル２２の布帛クリップ１からの脱離、ひいては懸吊部３０からの脱離が抑制される。
【００４３】
タオル２２は懸吊部３０に接触しないため、例えばタオル掛け３の汚損によってタオル２２が汚損されることを抑制することができる。また、懸吊部３０に予め布帛クリップ１を掛止しておく場合、使用者は布帛クリップ１にタオル２２を挟持させるだけで良く、いちいち懸吊部３０にタオル２２を掛止させ、更に布帛クリップ１を押し込む必要がない。この結果、使用者の利便性が向上される。
【００４４】
ところで、タオル２２を布帛クリップ１から取り外す場合、使用者は、可撓湾曲部１０及び挟持片１１，１１を湾曲の外側へ撓ませて挟持片１１，１１、引いては対向する凸部１２，１２を離隔させて、タオル２２を引き抜く。この場合、タオル２２は、凸部１２，１２，…のテーパに摺動する。即ち、凸部１２，１２，…は、タオル２２の移動を阻害しない。また、布帛クリップ１を懸吊部３０から取り外す場合、使用者は、可撓湾曲部１０及び挟持片１１，１１を湾曲の外側へ撓ませて挟持片１１，１１、引いては対向する凸部１２，１２を離隔させて、布帛クリップ１を引き抜く。引き抜く際に湾曲の外側に撓ませた可撓湾曲部１０及び挟持片１１，１１は、引き抜きの完了後、自動的に元の形状に戻る。
【００４５】
以上のように、布帛クリップ１は、可撓湾曲部１０及び挟持片１１，１１を有する簡易な構造で、タオル２１，２２を種々の様態で挟持して、タオル掛け３に直接的／間接的に懸吊させることができ、タオル２１，２２がタオル掛け３から脱離することを抑制することができる。また、布帛クリップ１は、金属製の弾性部材を用いることなく、可撓湾曲部１０が挟圧方向に付勢している挟持片１１，１１によって挟持力を備えることができる。また、金属部分を備えないため、錆は生じない。更に、布帛クリップ１は可撓湾曲部１０及び挟持片１１，１１を一体成型するため、製造が容易である。
【００４６】
また、布帛クリップ１は、例えば懸吊部３０に掛止されたタオル２１の折り曲げ部に対して布帛クリップ１を押し込むだけでタオル２１を挟持できるため、洗濯バサミのように、枢着された２個の挟持用部材の挟持側端部を離隔させる動作が不必要である。このため、使用者は布帛クリップ１を簡便に利用することができ、使用者の利便性を向上させることができる。
【００４７】
なお、布帛クリップ１が挟持する布帛はタオルに限定されない。また、使用者は、布帛クリップ１を複数用いても良い。更に、挟持片１１，１１に、凸部１２，１２，…ではなく、互いに噛み合う凹凸が形成されていても良い。この場合、タオル２１，２２は凹凸の摩擦力によって挟持片１１，１１間に固定される。また、挟持片１１，１１が、尖鋭状の凸部１２，１２，…ではなく、湾曲状の凸部を備える構成でも良い。この場合、湾曲上の凸部はタオル２１，２２の挿入／離脱の際、タオル２１，２２の移動を阻害せず、また、タオル２１，２２を破損することもない。
【図面の簡単な説明】
【００４８】
【図１】本発明に係る布帛クリップを用いてタオル掛けにタオルを直接的に懸吊した状態を示す斜視図である。
【図２】本発明に係る布帛クリップの構成を示す平面図及び側面図である。
【図３】本発明に係る布帛クリップを用いてタオル掛けにタオルを間接的に懸吊した状態を示す斜視図である。
【符号の説明】
【００４９】
１  布帛クリップ
１０  可撓湾曲部
１１  挟持片（挟持部の対向２片。挟持部の一片，他片）
１１ａ  内面（対向部分）
１１１  挟持部
１２  凸部
２１，２２  タオル（布帛）
【図１】
2006122226.tif 000003
【図２】
2006122226.tif 000004
【図３】
2006122226.tif 000005